(57)【要約】【課題】脈管内で標的組織の近傍に投与した細胞を、標的組織の近傍の位置に留めることが可能な医療器具及び細胞投与方法を提供する。【解決手段】医療器具は、脈管内に挿通可能であり、先端部に形成された開口から所定の細胞を排出可能な管状部材と、前記脈管内において、前記開口よりも前記管状部材の基端側の位置で、前記管状部材の周囲に前記脈管を閉塞する閉塞物を生成可能な閉塞物生成部材と、を備える。【選択図】図２
2018175311.tif 000002
【特許請求の範囲】
【請求項１】
脈管内に挿通可能であり、先端部に形成された開口から所定の細胞を排出可能な管状部材と、
前記脈管内において、前記開口よりも前記管状部材の基端側の位置で、前記管状部材の周囲に前記脈管を閉塞する閉塞物を生成可能な閉塞物生成部材と、を備える医療器具。
【請求項２】
前記閉塞物生成部材は、前記開口よりも前記管状部材の基端側で前記管状部材の外面に設けられた、血液と触れて血栓を生成する血栓生成物質を含む糸状部材である、請求項１に記載の医療器具。
【請求項３】
前記糸状部材は、前記管状部材の周方向の異なる位置に複数設けられている、請求項２に記載の医療器具。
【請求項４】
前記糸状部材は、前記血栓生成物質を保持し、前記管状部材に取り付けられている繊維部材を備える、請求項２又は３に記載の医療器具。
【請求項５】
前記繊維部材は、非生物分解性重合体、又は、生物分解性重合体、で形成されている、請求項４に記載の医療器具。
【請求項６】
前記管状部材を第１管状部材とした場合に、前記第１管状部材を挿通可能な第１中空部と、前記閉塞物生成部材を挿通可能な第２中空部と、を区画し、前記脈管内に挿通可能な第２管状部材を備える、請求項１に記載の医療器具。
【請求項７】
前記閉塞物生成部材は、血液と触れて血栓を生成する血栓生成物質を含む、請求項６に記載の医療器具。
【請求項８】
前記閉塞物生成部材は、前記血栓生成物質を保持し、前記第２中空部を挿通可能なコイル部材を備える、請求項７に記載の医療器具。
【請求項９】
管状部材を血管内に挿通し、前記管状部材の先端部に形成された開口を標的組織に向かって近づけ、前記開口を前記血管内の第１所定位置に配置する挿通工程と、
前記第１所定位置よりも前記血管の上流側の第２所定位置で栓子を生成し、前記血管を塞栓する塞栓工程と、
前記開口から所定の細胞を排出し、前記標的組織に前記所定の細胞を投与する投与工程と、を含む、細胞投与方法。
【請求項１０】
前記管状部材の前記開口を、前記第１所定位置から、前記第２所定位置よりも前記血管の上流側に向かって移動させ、前記栓子から引き抜く引抜き工程を含む、請求項９に記載の細胞投与方法。
【発明の詳細な説明】
【技術分野】
【０００１】
本開示は、医療器具及び細胞投与方法に関する。
【背景技術】
【０００２】
従来から、免疫を高めて癌を治療する癌免疫療法が知られている。癌免疫療法の中には、患者の免疫細胞の機能を高めて癌を治療する免疫細胞療法がある。この免疫細胞療法は、患者の免疫細胞を体外に取り出し、培養・活性化した上で患者の体内に戻すことで、癌細胞に対する免疫を高め、癌を治療するものである。特許文献１には、癌免疫療法の一例が記載されている。
【先行技術文献】
【特許文献】
【０００３】
【特許文献１】特表２０１７−５０３４７２号公報
【発明の概要】
【発明が解決しようとする課題】
【０００４】
ところで、癌免疫療法においては、患者の免疫を高める所定の細胞を、標的組織の近傍に局所的に投与すると共に、標的組織の近傍に長期的に局在させることが望ましい。しかしながら、投与された細胞は、血管内の血流により下流側へと流されるため、標的組織の近傍に長期的に局在させることができない。
【０００５】
本開示は、脈管内で標的組織の近傍に投与した細胞を、標的組織の近傍の位置に留めることが可能な医療器具及び細胞投与方法を提供することを目的とする。
【課題を解決するための手段】
【０００６】
本発明の第１の態様としての医療器具は、脈管内に挿通可能であり、先端部に形成された開口から所定の細胞を排出可能な管状部材と、前記脈管内において、前記開口よりも前記管状部材の基端側の位置で、前記管状部材の周囲に前記脈管を閉塞する閉塞物を生成可能な閉塞物生成部材と、を備える。
【０００７】
本発明の１つの実施形態として、前記閉塞物生成部材は、前記開口よりも前記管状部材の基端側で前記管状部材の外面に設けられた、血液と触れて血栓を生成する血栓生成物質を含む糸状部材である。
【０００８】
本発明の１つの実施形態として、前記糸状部材は、前記管状部材の周方向の異なる位置に複数設けられている。
【０００９】
本発明の１つの実施形態として、前記糸状部材は、前記血栓生成物質を保持し、前記管状部材に取り付けられている繊維部材を備える。
【００１０】
本発明の１つの実施形態として、前記繊維部材は、非生物分解性重合体、又は、生物分解性重合体、で形成されている。
【００１１】
本発明の１つの実施形態として、前記管状部材を第１管状部材とした場合に、前記第１管状部材を挿通可能な第１中空部と、前記閉塞物生成部材を挿通可能な第２中空部と、を区画し、前記脈管内に挿通可能な第２管状部材を備える。
【００１２】
本発明の１つの実施形態として、前記閉塞物生成部材は、血液と触れて血栓を生成する血栓生成物質を含む。
【００１３】
本発明の１つの実施形態として、前記閉塞物生成部材は、前記血栓生成物質を保持し、前記第２中空部を挿通可能なコイル部材を備える。
【００１４】
本発明の第２の態様としての細胞投与方法は、管状部材を血管内に挿通し、前記管状部材の先端部に形成された開口を標的組織に向かって近づけ、前記開口を前記血管内の第１所定位置に配置する挿通工程と、前記第１所定位置よりも前記血管の上流側の第２所定位置で栓子を生成し、前記血管を塞栓する塞栓工程と、前記開口から所定の細胞を排出し、前記標的組織に前記所定の細胞を投与する投与工程と、を含む。
【００１５】
本発明の１つの実施形態としての細胞投与方法は、前記管状部材の前記開口を、前記第１所定位置から、前記第２所定位置よりも前記血管の上流側に向かって移動させ、前記栓子から引き抜く引抜き工程を含む。
【発明の効果】
【００１６】
本開示によれば、脈管内で標的組織の近傍に投与した細胞を、標的組織の近傍の位置に留めることが可能な医療器具及び細胞投与方法を提供することができる。
【図面の簡単な説明】
【００１７】
【図１】癌免疫療法の一例の概要を示す図である。
【図２】本発明の一実施形態としての医療器具を示す図である。
【図３】図２に示す医療器具を用いて行う細胞投与方法を示すフローチャートである。
【図４】図３の挿通工程の概要を示す概要図である。
【図５】図３の挿通工程の概要を示す概要図である。
【図６】図３の塞栓工程の概要を示す概要図である。
【図７】図３の投与工程の概要を示す概要図である。
【図８】図３の引抜き工程の概要を示す概要図である。
【図９】本発明の一実施形態としての医療器具を示す図である。
【図１０】図９に示す医療器具を用いて行う挿通工程の概要を示す概要図である。
【図１１】図９に示す医療器具を用いて行う塞栓工程の概要を示す概要図である。
【図１２】図９に示す医療器具を用いて行う投与工程の概要を示す概要図である。
【図１３】図９に示す医療器具を用いて行う引抜き工程の概要を示す概要図である。
【発明を実施するための形態】
【００１８】
以下、本発明に係る医療器具及び細胞投与方法の実施形態について、図１〜図１３を参照して説明する。各図において共通する部材・部位には同一の符号を付している。
【００１９】
図１は、癌免疫療法の一例の概要を示す図である。図１に示す癌免疫療法では、患者Ｐの血液から免疫細胞Ｘを取り出し、活性化・培養し、再び患者Ｐの血液に戻す。これにより、患者Ｐの免疫力が高められ、癌細胞の排除と、癌細胞の発生の抑制と、を実現することができる。
【００２０】
図２は、図１に示す癌免疫療法に利用可能な、本実施形態としての医療器具１を示す図である。図２では、医療器具１の先端部を拡大して示している。医療器具１は、脈管としての血管ＢＶ内に挿入可能であり、例えば、体外から血管ＢＶとしての大腿動脈内に挿入される。体外から血管ＢＶに挿入された医療器具１の先端部は、血管ＢＶ内を通じて、免疫細胞Ｘを投与する癌治療の対象となる標的組織の近傍まで挿通される。
【００２１】
図２に示すように、医療器具１は、管状部材２と、閉塞物生成部材３と、を備えている。
【００２２】
管状部材２は、脈管としての血管ＢＶ内に挿通可能であり、先端部に形成された開口２ａから所定の細胞としての免疫細胞Ｘを排出可能である。
【００２３】
管状部材２は、例えば、高密度ポリエチレン、ポリプロピレンのようなポリオレフィン；ナイロン６６のようなポリアミド；ポリウレタン；ポリエチレンテレフタレート、ポリブチレンテレフタレート、ポリシクロヘキサンテレフタレートのようなポリエステル；ポリテトラフルオロエチレン、エチレン−テトラフルオロエチレン共重合体等のようなフッ素系樹脂；からなる群より選択される少なくとも１種を主とするものとすることができる。
【００２４】
管状部材２の内径、及び、管状部材２の先端部に形成されている開口２ａの径は、細胞の粒子を排出可能な程度の大きさを有していればよく、その径の大きさは特に限定されるものではない。管状部材２の内径、及び、管状部材２の先端部に形成されている開口２ａの径としては、例えば、５０μｍ〜３０００μｍとすることができる。開口２ａの径を５０μｍ以上とすることにより、例えば、癌免疫療法に主として用いるリンパ球系の細胞（一般的に６μｍ〜３０μｍ程度の径）を通過可能とすることができる。また、管状部材２の外径は、例えば、１ｍｍ〜５ｍｍとすることができる。
【００２５】
閉塞物生成部材３は、血管ＢＶ内において、開口２ａよりも管状部材２の基端側の位置で、管状部材２の周囲に閉塞物としての栓子を生成可能である。具体的に、本実施形態の閉塞物生成部材３は、血液と触れて血栓を生成する血栓生成物質を含む。血栓生成物質としては、例えば、血液を吸収して膨潤する物質や、血液を凝固させる作用を持つ物質など、が挙げられる。血液を吸収して膨潤する物質の例としては、ハイドロゲルが挙げられる。
【００２６】
また、本実施形態の閉塞物生成部材３は、管状部材２の開口２ａよりも管状部材２の基端側で管状部材２の外面に設けられている、可撓性を有する糸状部材である。具体的に、本実施形態の閉塞物生成部材３としての糸状部材は、管状部材２の外面から、管状部材２の径方向外側に向かって延在している。また、図２に示すように、本実施形態の閉塞物生成部材３としての糸状部材は、管状部材２の周方向の異なる位置に複数設けられている。
【００２７】
本実施形態の閉塞物生成部材３としての糸状部材は、上述した血栓生成物質と、この血栓生成物質を保持し、管状部材２に取り付けられている繊維部材と、を備えている。この繊維部材は、非生物分解性重合体、又は、生物分解性重合体、で形成可能である。
【００２８】
繊維部材を構成する非生物分解性重合体は、例えば、ナイロン、ポリエチレンテレフタレート、ポリエチレン、ポリアクリル酸、ポリプロピレン、ポリ塩化ビニル、ポリアミド、ポリウレタン、ポリビニルピロリドン、ポリビニルアルコール、ポリ酢酸ビニル、酢酸セルロース、ポリスチレン、ポリテトラフルオロエチレン、ポリエステル、絹、及び、綿の中らから選択可能である。
【００２９】
また、繊維部材を構成する生物分解性重合体は、例えば、ポリグリコール酸、ポリカプロラクトン、ポリヒドロキシブチレートバレレート（Polyhydroxybutyrate valerate）、ポリオルトエステル（Polyorthoester）、ポリ乳酸、ポリ−ｐ−ジオキサノン（poly(p-dioxanone)）、ポリバレトラクトン（Poly (valetolactone)）、ポリタルトロン酸、ポリ−β−マロン酸、ポリプロピレンフマレート、チロシンを基にしたポリカーボネート（tyrosine based polycarbonate）、及び、ポリエチレンオキサイドとポリブチレンテレフタレートとの共重合体の中から選択可能である。
【００３０】
以下、上述の医療器具１を用いて行う細胞投与方法について説明する。図３は、医療器具１を用いて行う細胞投与方法を示すフローチャートである。図３に示すように、医療器具１を用いて行う細胞投与方法は、管状部材２を血管内に挿通し、管状部材２の先端部に形成された開口２ａを標的組織に向かって近づけ、開口２ａを血管ＢＶ内の第１所定位置に配置する挿通工程Ｓ１と、第１所定位置よりも血管ＢＶの上流側の第２所定位置で閉塞物生成部材３により閉塞物としての栓子を生成し、血管ＢＶを塞栓する塞栓工程Ｓ２と、開口２ａから所定の細胞としての免疫細胞Ｘを排出し、標的組織に免疫細胞Ｘを投与する投与工程Ｓ３と、管状部材２の開口ａを、第１所定位置から、第２所定位置よりも血管ＢＶの上流側に向かって移動させ、栓子から引き抜く引抜き工程Ｓ４と、を含む。以下、各工程Ｓ１〜Ｓ４について詳細に説明する。
【００３１】
図４及び図５は、挿通工程Ｓ１の概要を示す概要図である。図４及び図５に示すように、挿通工程Ｓ１では、管状部材２の先端部を、血管ＢＶ内に予め留置されているデリバリー用カテーテル４を通じて、標的組織の近傍まで進行させる。より具体的には、図４及び図５に示すように、挿通工程Ｓ１では、管状部材２の先端部を、デリバリー用カテーテル４の先端開口４ａを越える位置まで挿通し、管状部材２の先端部の開口２ａを、標的組織の近傍の位置としての第１所定位置まで近づける。これにより、開口２ａから排出される免疫細胞Ｘを、標的組織の近傍に局所的に投与することができる。
【００３２】
また、本実施形態の閉塞物生成部材３としての糸状部材は可撓性を有するため、図４に示すように、デリバリー用カテーテル４内に変形した状態で収容可能である。そのため、本実施形態の閉塞物生成部材３としての糸状部材は、管状部材２と共に、デリバリー用カテーテル４内を移動することができる。
【００３３】
図６は、塞栓工程Ｓ２の概要を示す概要図である。本例では、挿通工程Ｓ１において図５に示す状態にすると、閉塞物生成部材３としての糸状部材が、管状部材２の先端部と同様、デリバリー用カテーテル４の先端開口４ａを越える位置まで挿通される。換言すれば、挿通工程Ｓ１において管状部材２の開口２ａを第１所定位置に配置させると、閉塞物生成部材３を、栓子を生成する第２所定位置に配置させることができる。
【００３４】
これにより、閉塞物生成部材３を、血管ＢＶ内の血液と触れさせることができる。閉塞物生成部材３が血管ＢＶ内の血液に触れると、例えば血栓生成物質が血液を吸収して膨潤し、血栓を生成する。その結果、図６に示すように、血管ＢＶ内において、開口２ａよりも管状部材２の基端側の位置で、管状部材２の周囲に栓子としての血栓が生成され、血管ＢＶを塞栓することができる。
【００３５】
このように、ここで示す塞栓工程Ｓ２は、管状部材２を進行させて、閉塞物生成部材３としての糸状部材をデリバリー用カテーテル４の先端開口４ａを越える位置まで移動させる操作により、実行可能である。換言すれば、ここで示す細胞投与方法では、挿通工程Ｓ１の操作を完了させることにより、塞栓工程Ｓ２の操作を当時に実行することができる。但し、挿通工程Ｓ１と塞栓工程Ｓ２とが別々に実行される医療器具とすることもできる。このような医器具の詳細は後述する（図９等参照）。
【００３６】
図７は、投与工程Ｓ３の概要を示す概要図である。図７に示すように、塞栓工程Ｓ２において血管ＢＶを塞栓した状態で、その塞栓した位置よりも血管ＢＶの下流側に位置する管状部材２の開口２ａから免疫細胞Ｘを排出する。これにより、標的組織の近傍で免疫細胞Ｘを局所的に投与できると共に、血液の流れを止める又は弱めることで、免疫細胞Ｘを標的組織の近傍に長期的に局在させ易くなる。
【００３７】
図８は、引抜き工程Ｓ４の概要を示す概要図である。図８に示すように、引抜き工程Ｓ４では、まず、管状部材２と、閉塞物生成部材３としての糸状部材から形成された閉塞物としての栓子と、を分離する。管状部材２と栓子との分離は、各種方法により実現でき、例えば、管状部材２を基端側に引抜く動作に伴うせん断力や、管状部材２を栓子に対して回動する動作に伴うせん断力、により分離するようにしてもよい。また、管状部材２の内部から超音波等を利用して、管状部材２と栓子との間を切断してもよい。
【００３８】
管状部材２と栓子との接続が分離された後で、栓子に対して管状部材２を基端側に移動させる。これにより、管状部材２を、血管ＢＶ内のデリバリー用カテーテル４を通じて体外に抜去することができる。管状部材２が引き抜かれた栓子には、血管ＢＶの延在方向に延びる貫通孔が形成された状態となるが、例えば、閉塞物生成部材３が血液を吸収して膨潤する血栓生成物質を含む場合、その貫通孔の内壁に触れた血液により、血栓生成物質が更に膨潤し貫通孔を埋めることができる。すなわち、管状部材２を引き抜いた後であっても貫通孔が無くなり、血管ＢＶを塞栓した状態を復活させることができる。このようにすることで、管状部材２を体外に抜去した後であっても、標的組織近傍での血管ＢＶの血流を止めた状態又は血流を弱めた状態を維持でき、標的組織の近傍に免疫細胞Ｘを局在させることができる。
【００３９】
なお、糸状部材のうち、前記血栓生成物質を保持する繊維部材を、非生物分解性重合体により形成することにより、血管ＢＶを長期的又は永久的に塞栓した状態とすることができる。その一方で、繊維部材を生物分解性重合体により形成することにより、一定時間経過後に繊維部材を分解させることができる。つまり、血管ＢＶを一時的に塞栓した状態とし、一定時間経過後に血流を再開させることができる。
【００４０】
以上のように、本実施形態の医療器具１によれば、血管ＢＶ内で標的組織の近傍に投与した免疫細胞Ｘを、標的組織の近傍の位置に留めることが可能であり、免疫療法の効能を高めることができる。
【００４１】
なお、本実施形態の医療器具１では、所定の細胞として免疫細胞Ｘである血液細胞（例えば、リンパ球（Ｔ細胞、Ｂ細胞、ＮＫ細胞）、赤血球、顆粒球、単球、血小板）を投与するものであったが、免疫細胞Ｘに限らず、例えば、造血幹細胞、筋芽細胞、心筋細胞、線維芽細胞、間葉系幹細胞、滑膜細胞、胚性幹細胞、上皮細胞、内皮細胞などであってもよい。また、上述の所定の細胞は、同種異系ドナー細胞、異種ドナー細胞、同系ドナー細胞、遺伝子操作された細胞、株化された細胞系、患者由来の細胞、などを含むものである。
【００４２】
図９は、別の実施形態としての医療器具１１を示す図である。図９に示す医療器具１１は、上述した図２に示す医療器具１と同様、管状部材１２と、閉塞物生成部材１３と、を備えるものである。更に、本実施形態の医療器具１１は、管状部材１２を挿通可能な中空部を区画する別の管状部材１５を備えている。以下、説明の便宜上、管状部材１２を「第１管状部材１２」と記載し、管状部材１５を「第２管状部材１５」と記載する。
【００４３】
第２管状部材１５は、脈管としての血管ＢＶ内に挿通可能である。また、図９に示すように、第２管状部材１５は、第１管状部材１２を挿通可能な中空部１５ａと、閉塞物生成部材１３を挿通可能な中空部１５ｂと、を区画している。以下、説明の便宜上、中空部１５ａを「第１中空部１５ａ」と記載し、中空部１５ｂを「第２中空部１５ｂ」と記載する。
【００４４】
第１管状部材１２は、上述した管状部材２と同様であるため、ここでは説明を省略する。
【００４５】
閉塞物生成部材１３は、血液と触れて血栓を生成する血栓生成物質を含み、上述したように第２管状部材１５の第２中空部１５ｂ内を挿通可能である。より具体的に、本実施形態の閉塞物生成部材１３は、血栓生成物質と、血栓生成物質を保持し、第２中空部１５ｂを挿通可能なコイル部材と、を備えている。閉塞物生成部材１３は、第２中空部１５ｂ内に収縮した状態で収容可能である。血栓生成物質については、上述した閉塞物生成部材３の血栓生成物質と同様であるため、ここでは説明を省略する。
【００４６】
第２管状部材１５は、例えば、上述した管状部材２や第１管状部材１２と同様の材料から形成することができる。
【００４７】
以下、医療器具１１を用いた細胞投与方法について説明する。医療器具１１を用いた細胞投与方法は、上述した医療器具１を用いた細胞投与方法と同様、挿通工程Ｓ１、塞栓工程Ｓ２、投与工程Ｓ３及び引抜き工程Ｓ４を含む（図３参照）。図１０は挿通工程Ｓ１の概要を示す図である。図１１は塞栓工程Ｓ２の概要を示す図である。図１２は投与工程Ｓ３の概要を示す図である。図１３は引抜き工程Ｓ４の概要を示す図である。
【００４８】
図１０に示すように、挿通工程Ｓ１では、まず、第２管状部材１５を血管ＢＶ内に挿通して留置する。次いで、第１管状部材１２の先端部を、第２管状部材１５の第１中空部１５ａを通じて、標的組織の近傍まで進行させる。より具体的には、図１０に示すように、第１管状部材１２の先端部を、第２管状部材１５の第１中空部１５ａの先端開口を越える位置まで挿通し、第１管状部材１２の先端部の開口１２ａを、標的組織の近傍の位置としての第１所定位置まで近づける。これにより、開口１２ａから排出される所定の細胞を、標的組織の近傍に局所的に投与することができる。
【００４９】
図１１に示すように、塞栓工程Ｓ２では、閉塞物生成部材１３を、第２管状部材１５の第２中空部１５ｂの先端開口を越える位置まで挿通する。なお、図１１に示すように、第１管状部材１２の先端部の開口１２ａの位置は、閉塞物生成部材１３の位置よりも、血管ＢＶの下流側の位置である。本実施形態の閉塞物生成部材１３としてのコイル部材は、第２中空部１５ｂの先端開口から突出した段階で、血管ＢＶの径方向に拡張する。そして、閉塞物生成部材１３を、第１管状部材１２の開口１２ａよりも血管ＢＶの上流側の位置で、血液と触れさせる。閉塞物生成部材１３が血管ＢＶ内の血液に触れると、例えば血栓生成物質が血液を吸収して膨潤し、血栓を生成する。その結果、図１１に示すように、血管ＢＶ内において、開口１２ａよりも第１管状部材１２の基端側の位置で、第１管状部材１２の周囲に栓子としての血栓が生成され、血管ＢＶを塞栓することができる。
【００５０】
図１２に示すように、投与工程Ｓ３では、上述の塞栓工程Ｓ２において血管ＢＶを塞栓した状態で、その塞栓した位置よりも血管ＢＶの下流側に位置する第１管状部材１２の開口１２ａから細胞を排出する。これにより、標的組織の近傍で免疫細胞Ｘなどの標的組織での免疫力を高める所定の細胞を局所的に投与できると共に、血液の流れを止める又は弱めることで、細胞を標的組織の近傍に長期的に局在させ易くなる。
【００５１】
図１３に示すように、引抜き工程Ｓ４では、第１管状部材１２を、第２管状部材１５の第１中空部１５ａを通じて引抜く。まず、第１管状部材１２と、閉塞物生成部材１３から形成された栓子と、を分離する。第１管状部材１２と栓子との分離は、各種方法により実現でき、例えば、第１管状部材１２を基端側に引抜く動作に伴うせん断力や、第１管状部材１２を栓子に対して回動する動作に伴うせん断力、により分離するようにしてもよい。また、第１管状部材１２の内部から超音波等を利用して、第１管状部材１２と栓子との間を切断してもよい。
【００５２】
第１管状部材１２と栓子との接続が分離された後で、栓子に対して第１管状部材１２を基端側に移動させる。これにより、第１管状部材１２を、血管ＢＶ内の第２管状部材１５を通じて体外に抜去することができる。第１管状部材１２が引き抜かれた栓子には、血管ＢＶの延在方向に延びる貫通孔が形成された状態となるが、例えば、閉塞物生成部材１３が血液を吸収して膨潤する血栓生成物質を含む場合、その貫通孔の内壁に触れた血液により、血栓生成物質が更に膨潤し貫通孔を埋めることができる。すなわち、第１管状部材１２を引き抜いた後であっても貫通孔が無くなり、血管ＢＶを塞栓した状態を復活させることができる。このようにすることで、第１管状部材１２を体外に抜去した後であっても、標的組織近傍での血管ＢＶの血流を止めた状態又は血流を弱めた状態を維持でき、標的組織の近傍に免疫細胞Ｘを局在させることができる。
【００５３】
本開示に係る医療器具及び細胞投与方法は、上述した実施形態に記載した事項に限られるものではなく、特許請求の範囲の記載を逸脱しない限り、種々の変更・変形が可能である。
【産業上の利用可能性】
【００５４】
本開示は、医療器具及び細胞投与方法に関する。
【符号の説明】
【００５５】
１：医療器具
２：管状部材
２ａ：開口
３：閉塞物生成部材
４：デリバリー用カテーテル
１１：医療器具
１２：第１管状部材
１２ａ：開口
１３：閉塞物生成部材
１５：第２管状部材
１５ａ：第１中空部
１５ｂ：第２中空部
ＢＶ：血管
Ｐ：患者
Ｘ：免疫細胞
【図１】
2018175311.tif 000003
【図２】
2018175311.tif 000004
【図３】
2018175311.tif 000005
【図４】
2018175311.tif 000006
【図５】
2018175311.tif 000007
【図６】
2018175311.tif 000008
【図７】
2018175311.tif 000009
【図８】
2018175311.tif 000010
【図９】
2018175311.tif 000011
【図１０】
2018175311.tif 000012
【図１１】
2018175311.tif 000013
【図１２】
2018175311.tif 000014
【図１３】
2018175311.tif 000015